(57)【特許請求の範囲】
【請求項１】
近位端部にディフューザ部が設けられたニードルと、
前記ニードルが挿着されるニードルユニットボディと、
前記ニードルユニットボディに挿入され、ニードルをニードルユニットボディに固定させるためにニードルのディフューザ部を加圧するインサータとを備えることを特徴とする根管治療器用ニードルユニット。
【請求項２】
前記ニードルは、
近位端部から遠位端部へ一定に先細になることを特徴とする請求項１に記載の根管治療器用ニードルユニット。
【請求項３】
前記ニードルは、
近位端部がニードルユニットボディに挿入され、ニードルにおいて最も大きい内径を有し、内径が一定に小さくなるようにニードルの長手方向の所定部まで先細になるテーパ部と、
前記テーパ部の遠位端部に延び、一定の内径を有するストレート部とを備えることを特徴とする請求項１に記載の根管治療器用ニードルユニット。
【請求項４】
前記ニードルは、
近位端部がニードルユニットボディに挿入され、内径が一定であるストレート部と、
前記ストレート部に延び、内径が一定に小さくなるように先細になるテーパ部とを備えることを特徴とする請求項１に記載の根管治療器用ニードルユニット。
【請求項５】
前記ニードルは、一定の内径に形成されることを特徴とする請求項１に記載の根管治療器用ニードルユニット。
【請求項６】
前記ニードルは、
一定の内径に延びるストレート形状の内パイプと、
前記内パイプの所定区間をカバーし、一定の内径に延びるストレート形状であり、ニードルユニットボディに挿入される外パイプとを備えることを特徴とする請求項１に記載の根管治療器用ニードルユニット。
【請求項７】
前記ニードルは、
一定の内径に延びるストレート部と、一定に先細になるテーパ部とを備える内パイプと、
前記内パイプのストレート部をカバーし、一定の内径に延びるストレート形状の外パイプとを備えることを特徴とする請求項１に記載の根管治療器用ニードルユニット。
【請求項８】
前記ニードルは、
一定の直径を有し、長手方向に延びるストレート形状である第１パイプと、
一定の直径を有し、長手方向に延びるストレート形状であり、前記第１パイプの外径に対応する内径を有し、第１パイプの近位端部が挿合される遠位端部を有する第２パイプと、
一定の直径を有し、長手方向に延びるストレート形状であり、前記第２パイプの外径に対応する内径を有し、第２パイプの近位端部が挿合される遠位端部を有する第３パイプとを備えることを特徴とする請求項１に記載の根管治療器用ニードルユニット。
【請求項９】
前記第１パイプ及び第２パイプは、銅または銅合金からなり、前記第３パイプは、アルミニウムまたはアルミニウム合金からなることを特徴とする請求項８に記載の根管治療器用ニードルユニット。
【請求項１０】
前記第１パイプの外径は０．０３ｍｍ〜０．０７ｍｍ、第２パイプの外径は０．０５ｍｍ〜０．０７ｍｍ、第３パイプの外径は０．０７ｍｍ〜０．１２ｍｍに形成されることを特徴とする請求項８に記載の根管治療器用ニードルユニット。
【発明の詳細な説明】
【技術分野】
【０００１】
本発明は、根管治療器用ニードルユニットに関する。より具体的には、本発明は、所定の角度で曲げられ、結合される近位端部にディフューザ部が設けられたニードルと、前記ニードルが回転自在に挿着されるニードルユニットボディと、前記ニードルをニードルユニットボディに固定させるためにニードルユニットボディに挿入され、ニードルのディフューザ部を加圧するインサータとを備える根管治療器用ニードルユニットに関する。また、本発明は、根管治療器の効率的な具現のための最適な根管治療器用ニードルに関する。
【背景技術】
【０００２】
一般的に、歯科医院で虫歯を治療する方法としては、歯のう蝕部位を穿孔器具を用いて除去し、歯髄が損傷した場合は、損傷したり感染した歯髄を除去した後、治療部位の根管に充填材（根管充填用セメントまたはシーラー）を満たして密閉させた状態で補綴する方法を利用している。このように根管を充填するときは、その充填材が根管に浸透してこれを完全に閉鎖できるように補助する臨時充填物として、ガッタパーチャコーンを用いる。ガッタパーチャは、天然の植物性抽出物であって、常温では固体状態であるが、加圧または加熱して半固形化したゴムの形で提供される。これを通常、「ガッタパーチャコーン」と呼ぶ。
【０００３】
また、神経治療時においては、穿孔器具で歯髄感染部を穿孔して感染した神経組織などを除去した後、根管にそれ以上感染源が生じないように根管壁に充填材を塗布し、前記根管に適したサイズのガッタパーチャコーンを挿入して前記充填材を主根管及び副根管に固定させる。
【０００４】
しかし、従来技術に係る根管治療器は、ニードルが曲げられておらず、オペレータが、施術時、施術しようとする方向へニードルを曲げて使用し、反対方向への施術時には、ニードルを反対方向に再度曲げて使用してきた。このようにニードルを曲げて使用する場合、ニードルの薄膜に割れや欠けが生じるという問題が発生し、一方向での施術後に再び曲げることを回避するために、ニードルの固定を緩めて反対方向に転じさせた後再び固定して使用する場合、すでに加熱したニードルの操作は容易でなく、ニードルの固定を緩めて再固定する過程においてガッタパーチャが漏洩したり、操作が非常に煩雑であるという問題がある。
【０００５】
このような問題を解決するために、本発明者は、「完全加熱型の根管治療器用無線充電器」（韓国特許出願第２００５−００４４４２８号）をすでに出願した。
【０００６】
より具体的には、図１に示すように、本発明者によって前記出願された根管治療器は、本体１０と、ヒータ２０と、充電スイッチ３０と、注入部材４０と、把持部５０と、ニードル部１００とを備えてなる。そして、前記本体１０には電源供給部が内設され、充電スイッチ３０の操作によって注入部材４０が作動し、前記注入部材は、装填されたガッタパーチャをニードル部１００に移動させる。
【０００７】
また、図２に示すように、前記ニードル部１００は、ニードル１１０と、ニードルユニットボディ１２０と、密封部材１４０とを備える。そして、前記ニードル１１０は、溶融したガッタパーチャを所望の位置に放出させるためのものであって、オペレータのより便利な作業のために所定の角度で曲げられており、銅合金またはＳＵＳと結合する銀合金パイプからなる。
【０００８】
さらに、前記ニードル１１０がニードルユニットボディ１２０に結合される近位端部側は、直径約０．９ｍｍに形成され、遠位端部側は、歯科治療に適するように先細になって（ｔａｐｅｒｅｄ）約０．５ｍｍ〜０．９ｍｍに形成される。そして、前記ニードル１００をニードルユニットボディ１２０に回転自在に結合させるために、ニードルユニットボディと結合するニードルの近位端部には、ニードルの直径より大きい矩形結合部１１１が設けられる。
【０００９】
前記ニードルユニットボディ１２０は、外周面に本体と結合するためのネジ結合部が設けられる。そして、前記ニードルユニットボディ１２０の内部には、前記ニードルの矩形結合部１１１に対応する矩形結合溝が形成される。前記ニードルの矩形結合部をニードルユニットボディの矩形結合溝に挿合させた場合、ニードルは３６０度回転可能になり、オペレータが所望するだけ回転させて使用することができる。
【００１０】
しかし、上記のようなニードルユニットからなる場合、ニードルユニットボディの内部に矩形結合溝を形成させるための加工が困難になり、矩形結合部と矩形結合溝との結合精度に応じた結合力によってニードルがきちんと回転しなかったり、緩すぎて意図しない方向に回転しやすくなるだけでなく、ニードルがニードルユニットボディから離脱するという問題が発生し得る。
【先行技術文献】
【特許文献】
【００１１】
【特許文献１】大韓民国特許出願第２００５−００４４４２８号
【発明の概要】
【発明が解決しようとする課題】
【００１２】
本発明は、上記の諸問題を解決するためになされたものであって、本発明の目的は、所定の角度で曲げられたニードルが回転自在にニードルユニットボディに装着されることにより、施術が容易で、かつ、オペレータが容易に使用できる根管治療器用ニードルユニットを提供することである。
【００１３】
本発明の他の目的は、ニードルの近位端部にディフューザ部が設けられ、インサータにディフューザ部を加圧してニードルが一定の圧力で固定され、ニードルの固定状態が緩すぎたり、回転時に大きな力を要する程度に固定されることを防止することにより、オペレータが所望の方向にニードルを容易に回転させて使用できる根管治療器用ニードルユニットを提供することである。
【００１４】
本発明のさらに他の目的は、効率的な根管治療器として具現させるために、熱伝達などの効率が向上した最適なニードルを提供することである。
【課題を解決するための手段】
【００１５】
本発明は、所定の角度で曲げられたニードルと、前記ニードルが回転自在に装着されるニードルユニットボディと、前記ニードルを加圧してニードルユニットボディに固定させるインサータとを備える根管治療器用ニードルユニットである。
【００１６】
また、本発明は、所定の角度で曲げられ、近位端部にディフューザ部が設けられたニードルと、前記ニードルが回転自在に挿着されるニードルユニットボディと、前記ニードルユニットボディに挿入され、ニードルをニードルユニットボディに固定させるためにニードルのディフューザ部を加圧するインサータとを備える根管治療器用ニードルユニットである。
【発明の効果】
【００１７】
本発明によれば、所定の角度で曲げられたニードルが回転自在にニードルユニットボディに装着されることにより、施術が容易で、かつ、オペレータが容易に使用でき、ニードルの近位端部にディフューザ部が設けられ、インサータにディフューザ部を加圧してニードルが一定の圧力で固定され、ニードルの固定状態が緩すぎたり、回転時に大きな力を要する程度に固定されることを防止することにより、オペレータが所望の方向にニードルを容易に回転させて使用でき、ニードル全体の形状が近位端部から遠位端部へ先細になることにより、内部に流動する材料が摩擦なく容易に排出され得、加工が容易な根管治療器用ニードルユニットを提供し、効率的な根管治療器として具現させるために、熱伝達などの効率が向上した最適なニードルを提供するという効果がある。
【図面の簡単な説明】
【００１８】
【図１】従来技術に係る根管治療器の概略正面図である。
【図２】図１に示す根管治療器におけるニードルユニットの概略断面図である。
【図３】本発明に係る根管治療器用ニードルユニットの第１実施形態を概略的に示す断面図である。
【図４】本発明に係るニードルの第１実施形態を概略的に示す断面図である。
【図５】本発明に係るニードルの第２実施形態を概略的に示す断面図である。
【図６】本発明に係るニードルの第３実施形態を概略的に示す断面図である。
【図７】本発明に係るニードルの第４実施形態を概略的に示す断面図である。
【図８】本発明に係るニードルの第５実施形態及びニードルユニットを概略的に示す断面図である。
【図９】本発明に係るニードルの第６実施形態及びニードルユニットを概略的に示す断面図である。
【図１０】本発明に係るニードルの第７実施形態及びニードルユニットを概略的に示す断面図である。
【発明を実施するための形態】
【００１９】
上記の目的を達成するために、本発明は、第１実施形態として、所定の角度で曲げられたニードルと、前記ニードルが回転自在に装着されるニードルユニットボディと、前記ニードルを加圧してニードルユニットボディに固定させるインサータとを備える根管治療器用ニードルユニットを提供する。
【００２０】
また、本発明は、第２実施形態として、所定の角度で曲げられ、近位端部にディフューザ部が設けられたニードルと、前記ニードルが回転自在に挿着されるニードルユニットボディと、前記ニードルユニットボディに挿入され、ニードルをニードルユニットボディに固定させるためにニードルのディフューザ部を加圧するインサータとを備える根管治療器用ニードルユニットを提供する。
【００２１】
前記ニードルは、遠位端部にガッタパーチャの放出が容易になるようにテーパ部が設けられる。
【００２２】
また、前記ディフューザ部は、直径が０．９ｍｍ〜５ｍｍに形成され得、より好ましくは１．５ｍｍに形成され、前記テーパ部の直径は０．５ｍｍ〜０．９ｍｍに形成される。
【００２３】
また、前記インサータは、内部にガッタパーチャ流動路が形成され、前方にディフューザ部に対応する加圧部が設けられ、外面に前記ニードルユニットボディへの挿入方向の移動を制限するための段差部が設けられる。
【００２４】
また、前記ニードルユニットボディは、内部にニードル及びインサータを収容するための収容部が設けられ、外部に根管治療器本体と結合するためのネジ結合部が設けられ、前記収容部は、収容されるニードル及びインサータの大きさと形状に対応するように設けられ、前記インサータの加圧方向の移動を制限するための前記インサータの段差部に対応するように段差部が設けられる。
【００２５】
さらに、前記ニードルユニットボディは、黄銅からなり、六角棒状に形成される。
【００２６】
また、本発明に係る根管治療器用ニードルユニットは、前記ニードルユニットボディと充電器本体との間に装着される密封部材をさらに備える。
【００２７】
本発明は、第３実施形態として、近位端部にディフューザ部が設けられたニードルと、前記ニードルが回転自在に挿着されるニードルユニットボディと、前記ニードルユニットボディに挿入され、ニードルをニードルユニットボディに固定させるためにニードルのディフューザ部を加圧するインサータとを備える。
【００２８】
本発明は、第４実施形態として、近位端部にフランジ部が設けられたニードルと、前記ニードルが挿着されるニードルユニットボディと、前記ニードルユニットボディに挿入され、ニードルをニードルユニットボディに固定させるためにニードルのフランジ部を加圧するインサータとを備える根管治療器用ニードルユニットであり、前記インサータは、ニードルのフランジ部を前方側にニードルユニットボディに挿入されるヘッドインサータをさらに備え、前記ニードルのフランジ部は、ヘッドインサータとインサータとの間に固定される。
【００２９】
本発明のニードルは、第１実施形態として、近位端部から遠位端部へ一定に先細になる。
【００３０】
また、前記ニードルは、第２実施形態として、近位端部がニードルユニットボディに挿入され、ニードルにおいて最も大きい内径を有し、内径が一定に小さくなるようにニードルの長手方向の所定部まで先細になるテーパ部と、前記テーパ部の他端に延び、一定の内径を有するストレート部とを備える。
【００３１】
また、前記ニードルは、第３実施形態として、一端がニードルユニットボディに挿入され、内径が一定であるストレート部と、前記ストレート部に延び、内径が一定に小さくなるように先細になるテーパ部とを備える。
【００３２】
また、前記ニードルは、第４実施形態として、一定の内径に形成される。
【００３３】
また、前記ニードルは、第５実施形態として、一定の内径に延びるストレート形状の内パイプと、前記内パイプの所定区間をカバーし、一定の内径に延びるストレート形状であり、ニードルユニットボディに挿入される外パイプとを備える。
【００３４】
なお、前記ニードルは、第６実施形態として、一定の内径に延びるストレート部と、一定に先細になるテーパ部とを備える内パイプと、前記内パイプのストレート部をカバーし、一定の内径に延びるストレート形状であり、ニードルユニットボディに挿入される外パイプとを備える。
【００３５】
また、前記ニードルは、第７実施形態として、一定の直径を有し、長手方向に延びるストレート形状である第１パイプと、一定の直径を有し、長手方向に延びるストレート形状であり、前記第１パイプの外径に対応する内径を有し、第１パイプの近位端部が挿合される遠位端部を有する第２パイプと、一定の直径を有し、長手方向に延びるストレート形状であり、前記第２パイプの外径に対応する内径を有し、第２パイプの近位端部が挿合される遠位端部を有する第３パイプとを備える。
【００３６】
さらに、前記第１パイプ及び第２パイプは、銅または銅合金からなり、前記第３パイプは、アルミニウムまたはアルミニウム合金からなる。
【００３７】
なお、前記第１パイプの外径は０．０３ｍｍ〜０．０７ｍｍ、第２パイプの外径は０．０５ｍｍ〜０．０７ｍｍ、第３パイプの外径は０．０７ｍｍ〜０．１２ｍｍに形成され、好ましくは、第１パイプの外径は０．０５１ｍｍ、第２パイプの外径は０．０７ｍｍ、第３パイプの外径は０．０９ｍｍに形成される。
【００３８】
以下、本発明に係る根管治療器用ニードルユニットの具体例に関する構成、機能及び効果について詳細に説明する。
【００３９】
図３は、本発明に係る根管治療器用ニードルユニットの概略断面図である。図示のように、本発明に係る根管治療器用ニードルユニット２００は、ニードル２１０と、ニードルユニットボディ２２０と、インサータ２３０とを備える。前記ニードル２１０は、管形状に形成され、溶融したガッタパーチャを所望の位置に流出させるためのものであって、施術が容易になるように所定の角度で曲げられた曲げ部２１１が設けられ、ガッタパーチャの放出が容易になるように曲げられたニードルの遠位端部にはテーパ部２１２が設けられ、ニードルユニットボディ２２０に挿入されるニードル２１０の近位端部にはディフューザ部２１４が設けられる。そして、前記ニードル２１０のディフューザ部２１４は、直径が約０．９ｍｍ〜３ｍｍに形成され、好ましくは１．５ｍｍに形成される。また、前記テーパ部２１２は、約０．５ｍｍ〜０．９ｍｍに形成されることが好ましい。
【００４０】
また、本発明に係る実施形態として、前記ディフューザ部は、図３に示すように、複数として多様に形成され得る。
【００４１】
前記インサータ２３０は、ニードルユニットボディ２２０に挿入され、ニードル２１０のディフューザ部２１４を加圧するためのものであって、内部にガッタパーチャ流動路が形成され、前方にディフューザ部に対応する加圧部２３１が設けられ、外面に挿入方向の移動を制限するための段差部２３１が設けられる。
【００４２】
前記ニードルユニットボディ２２０は、その内部にニードル２１０及びインサータ２３０を収容するための収容部が設けられ、外部に根管治療器本体と結合するためのネジ結合部２２１が設けられる。前記収容部は、収容されるニードル２１０及びインサータ２３０の大きさと形状に対応するように設けられ、前記インサータ２３０の加圧方向の移動を制限するための段差部がインサータの段差部に対応するように設けられる。この構成により、前記ニードル２１０及びインサータ２３０がニードルユニットボディ２２０に収容され、前記インサータ２３０の加圧部２３１がニードルのディフューザ部２１４を同軸上に加圧する場合、所定の圧力と間隔が維持される。
【００４３】
より具体的には、前記インサータ２３０の段差部２３２と収容部の段差部とが当接した場合、インサータの加圧方向の移動を制限し、結局、インサータは、ニードルを所定の圧力で加圧するために既定の位置だけ移動する。
【００４４】
また、前記ニードルユニットボディ２２０は、加工性及び熱伝導性が良好となるように黄銅からなり、本体との結合が容易になるように六角棒状に形成されることが好ましい。そして、前記インサータ２３０は、加工性及び熱伝導性が良好となるように黄銅からなり、ガッタパーチャの流出が防止されるようにニードルのディフューザ部２３１の内部に挿入されることが好ましい。
【００４５】
本発明に係る根管治療器用ニードルユニット２００は、密封部材としてワッシャ（ｗａｓｈｅｒ）２４０をさらに備える。前記ワッシャ２４０は、高温のガッタパーチャが漏洩するのを防止するためのものであって、高熱に強いガスケットで形成され、前記ニードルユニットボディ２３０のネジ結合部２２１の前方に備えられる。このため、前記ワッシャ２４０によってニードルユニットボディ２３０が本体に結合する際に緊密な結合が行われ、ガッタパーチャの漏洩が防止される。
【００４６】
この構成により、本発明に係る根管治療器用ニードルユニット２００において、インサータ２３０は、既定の所定圧だけニードル２１０を加圧できるため、オペレータがニードルを回転するとき、ニードルの固定状態が緩すぎたり、回転時に大きな力を要する程度に固定されることを防止し、所望の方向にニードルを容易に回転させて使用できるようになる。
【００４７】
図４は、本発明に係るニードルの第１実施形態を概略的に示す断面図である。図示のように、前記ニードルは、ニードルユニットボディに挿入されるニードルの近位端部において最も大きい内径を有し、遠位端部において最も小さい内径を有するように一定に先細になる形状を有する。そして、前記ニードルの近位端部における厚さは、他端における厚さより大きく形成されることが好ましい。
【００４８】
図５は、本発明に係るニードルの第２実施形態を概略的に示す断面図である。図示のように、ニードルは、テーパ部とストレート部とを備え、前記テーパ部の近位端部は、ニードルユニットボディに挿入され、ニードルにおいて最も大きい内径を有する。そして、前記テーパ部は、内径が一定に小さくなるようにニードルの長手方向の所定部であるテーパ部の他端まで先細になる。そして、前記ストレート部は、テーパ部の遠位端部に連結されて一定の内径を有する。そして、前記テーパ部の近位端部の厚さは、遠位端部の厚さより大きく、前記ストレート部の厚さは、前記テーパ部の遠位端部の厚さと同様に形成されることが好ましい。
【００４９】
図６は、本発明に係るニードルの第３実施形態を概略的に示す断面図である。図示のように、ニードルは、ストレート部とテーパ部とを備え、前記ストレート部の近位端部は、ニードルユニットボディに挿入され、ニードルにおいて最も大きい内径を有する。そして、前記ストレート部の内径は、ニードルの長手方向の所定部であるテーパ部の近位端部まで一定に延びる。そして、前記テーパ部は、前記ストレート部の遠位端部に連結され、内径が一定に小さくなるように先細になる。また、前記ストレート部の厚さは、テーパ部の遠位端部の厚さより大きく形成されることが好ましい。
【００５０】
図７は、本発明に係るニードルの第４実施形態を概略的に示す断面図である。図示のように、ニードルは、内径が一定であるストレート形状に形成される。
【００５１】
また、上述した各々のニードルは、長手方向の所定部に熱蓄積部がさらに形成され得、前記熱蓄積部は、熱伝達をより効率的に具現するために、ニードルの近位端部から伝達される熱を一時的に蓄積してニードルの遠位端部に伝達するためのものである。
【００５２】
また、本発明は、近位端部にディフューザ部が設けられたニードルと、前記ニードルが回転自在に挿着されるニードルユニットボディと、前記ニードルユニットボディに挿入され、ニードルをニードルユニットボディに固定させるためにニードルのディフューザ部を加圧するインサータとを備え、前記ニードルは、近位端部から遠位端部へ先細になるように形成される。
【００５３】
図８は、本発明に係るニードルの第５実施形態及びニードル構造を概略的に示す断面図である。図示のように、前記ニードル５００は、外パイプ５２０と内パイプ５１０とからなる。そして、前記外パイプ５２０は、回転自在に結合されるヘッド６００を介して根管治療器本体に結合する。より具体的には、前記外パイプ５２０とヘッド６００との結合は、次のとおりである。まず、外パイプ５２０の近位端部には、固定用フランジ部５２１が設けられ、ヘッド６００の内部にあるヘッドインサータ６１０と締まり嵌めまたは溶接などによって結合される。また、前記ヘッドインサータ６１０は、ヘッド６００の内部に位置し、外パイプ５２０と共にヘッド内で回転する。また、前記ヘッド６００の前記ヘッドインサータ６１０は、ヘッドの外部に放出されないように固定するインサータ６２０を備える。このため、前記外パイプ５２０のフランジ部５２１は、ヘッドインサータ６１０とインサータ６２０との間に固定される。
【００５４】
また、前記外パイプは、一定の直径を有し、長手方向に延びるストレート形状であり、銅、銀合金からなる。
【００５５】
前記内パイプ５１０は、前記外パイプ５２０の内径に対応する大きさの外径を有し、長手方向に延びるストレート形状であり、ＳＵＳまたはアルミニウム合金からなる。そして、前記外パイプ５２０が内パイプ５１０の外部の所定区間を取り囲むように、前記内パイプは、外パイプに挿入されて緊密に結合される。このように異種金属の内パイプと外パイプとの結合構造により、熱伝達がより効率的に行われる。前記内パイプは、内径が０．４１ｍｍ、外径が０．６４ｍｍの２３ゲージで形成され、厚さは約０．０５ｍｍであることが好ましい。このように、内パイプの厚さは約０．０５ｍｍ、内径０．４１ｍｍに一定に形成されることにより、加圧したとき、従来の製品に比べてはるかに少ない圧力を受けることになる。
【００５６】
図９は、本発明に係るニードルの第６実施形態及びニードル構造を概略的に示す断面図である。図示のように、本発明に係るニードル７００は、外パイプ７２０と内パイプ７１０とからなる。そして、外パイプ７２０は、回転自在に結合されるヘッド８００を介して根管治療器本体に結合する。
【００５７】
より具体的には、外パイプは、回転自在に結合されるヘッド８００を介して根管治療器本体に結合する。より具体的には、前記外パイプ７２０とヘッド８００との結合は、次のとおりである。まず、外パイプ７２０の近位端部は、固定部であるフランジ部７２１であり、ヘッド８００の内部にあるヘッドインサータ８１０と締まり嵌めまたは溶接などによって結合される。また、前記ヘッドインサータ８１０は、ヘッド８００の内部に位置し、外パイプ７２０と共にヘッド内で回転する。また、前記ヘッド８００の前記ヘッドインサータ８１０は、ヘッドの外部に放出されないように固定するインサータ８２０を備える。
【００５８】
前記外パイプは、一定の直径を有し、長手方向に延びるストレート形状であり、銅、銀合金からなる。
【００５９】
前記内パイプ７１０は、一定の直径を有し、長手方向に延びるストレート部と、外径が一定に小さくなるテーパ部とを備え、前記ストレート部は、内パイプの近位端部側に設けられ、ストレート部は、内パイプの遠位端部側に設けられる。また、前記内パイプのストレート部の外径は外パイプの内径に対応する。前記内パイプのストレート部は外パイプに挿入され、前記内パイプのストレート部を前記外パイプ７２０が取り囲むように緊密に結合される。また、前記内パイプ７１０は、ＳＵＳまたはアルミニウム合金からなる。このように、異種金属の内パイプと外パイプとの結合構造により、熱伝達がより効率的に行われる。また、前記内パイプは、内径が０．１ｍｍ〜０．５ｍｍ、好ましくは０．３０ｍｍ、外径が０．３ｍｍ〜０．７０ｍｍ、好ましくは５１ｍｍの２５ゲージで形成される。
【００６０】
図１０は、本発明に係るニードルの第７実施形態及びニードル構造を概略的に示す断面図である。図示のように、本発明に係るニードル９００は、第１パイプ９１０と、第２パイプ９２０と、第３パイプ９３０とからなる。そして、前記第３パイプ９３０は、回転自在に結合されるヘッド８００を介して根管治療器本体に結合する。
【００６１】
より具体的には、外パイプは、回転自在に結合されるヘッド８００を介して根管治療器本体に結合する。より具体的には、前記外パイプ７２０とヘッド８００との結合は、次のとおりである。まず、第３パイプ９３０の近位端部は、フランジ部９３１であり、ヘッド８００の内部にあるヘッドインサータ８１０と締まり嵌めまたは溶接などによって結合される。また、前記ヘッドインサータ８１０は、ヘッド８００の内部に位置し、外パイプ９３０と共にヘッド内で回転する。また、前記ヘッド８００の前記ヘッドインサータ８１０は、ヘッドの外部に放出されないように固定するインサータ８２０を備える。
【００６２】
前記第１パイプ９１０は、一定の直径を有し、長手方向に延びるストレート形状であり、銅または銅合金からなる。そして、前記第２パイプ９２０は、一定の直径を有し、長手方向に延びるストレート形状であり、銅または銅合金からなる。また、前記第３パイプ９３０は、一定の直径を有し、長手方向に延びるストレート形状であり、アルミニウムまたはアルミニウム合金からなる。
【００６３】
また、前記第１パイプ９１０の外径は第２パイプ９２０の内径に対応し、前記第２パイプ９２０の外径は前記第３パイプ９３０の内径に対応する。前記第１パイプの近位端部は、第２パイプの遠位端部に挿入されて緊密に結合され、前記第２パイプの近位端部は、第３パイプの遠位端部に挿入されて緊密に結合される。また、結合力を増加させるために、前記第１パイプ９１０、第２パイプ９２０、及び第３パイプ９３０の結合部は、ロウ付けまたは溶接によって結合させる。
【００６４】
さらに、前記第１パイプ９１０の外径は０．０３ｍｍ〜０．０７ｍｍ、第２パイプ９２０の外径は０．０５ｍｍ〜０．０７ｍｍ、第３パイプ９３０の外径は０．０７ｍｍ〜０．１２ｍｍに形成され、好ましくは、第１パイプ９１０の外径は０．０５１ｍｍ、第２パイプ９２０の外径は０．７ｍｍ、第３パイプ９３０の外径は０．０９ｍｍに形成される。
【００６５】
このように、同種金属の第１パイプ、第２パイプ、及び異種金属の第３パイプの結合構造により、熱伝達がより効率的に行われる。
【００６６】
以上で説明した本発明は、上述した実施形態及び添付図面によって限定されるものではなく、本発明の技術思想を逸脱しない範囲内で様々な置換、変形及び変更が可能であるということが本発明の属する分野における通常の知識を有する者にとって自明であろう。
【図１】
0005617149.tif 000002
【図２】
0005617149.tif 000003
【図３】
0005617149.tif 000004
【図４】
0005617149.tif 000005
【図５】
0005617149.tif 000006
【図６】
0005617149.tif 000007
【図７】
0005617149.tif 000008
【図８】
0005617149.tif 000009
【図９】
0005617149.tif 000010
【図１０】
0005617149.tif 000011